(57)【要約】      （修正有）【課題】床ずれを防ぐために患者を牽引により寝返りを打たせる装置を提供する。【解決手段】牽引式寝返り補助器は、スライドレールユニット４と駆動機構５とストラップアセンブリ６とを具える。患者９の上方に配置されたスライドレールアセンブリ４２は、患者を跨いで延伸する長さを有するスライドレール４２１と、スライドレールに沿ってスライド可能で且つ患者の一側に連結されるスライドブロック４２２と、スライドブロックに連結された２つのロープ部材７とを具える。駆動機構は、スライドレールアセンブリに連結され且つスライドブロックをスライドレールに沿って患者の一側から他側に向かって移動させて、ロープ部材を牽引することにより、ストラップアセンブリを着用した患者を他側に転回するように構成されている。【選択図】図１
2018086298.tif 000002
【特許請求の範囲】
【請求項１】
少なくとも１つのスライドレールユニット（４、４´）と駆動機構（５）とを含み、患
者（９）を転回するための牽引式寝返り補助器であって、
少なくとも１つのスライドレールユニット（４、４´）は、前記患者（９）の上方に配
置されるように設けられ、少なくとも１つのスライドレールアセンブリ（４２、４２´）
を有し、
前記スライドレールアセンブリ（４２、４２´）は、前記患者（９）を跨いで延伸する
ように設定された長さを有するスライドレール（４２１、４２１´）と、前記スライドレ
ール（４２１、４２１´）に沿ってスライド可能で且つ前記患者（９）の一側に連結され
るように設けられたスライドブロック（４２２、４２２´）とを具え、
駆動機構（５）は、前記スライドレールアセンブリ（４２、４２´）に連結され且つ前
記スライドブロック（４２２、４２２´）を駆動して前記スライドレール（４２１、４２
１´）に沿って前記患者（９）の前記一側から他側に向かって移動させて前記患者（９）
を前記他側に転回するように構成されていることを特徴とする牽引式寝返り補助器。
【請求項２】
前記スライドレールユニット（４、４´）は、前記スライドレールアセンブリ（４２、
４２´）を２つ具え、
各前記スライドレールアセンブリ（４２、４２´）の前記スライドレール（４２１、４
２１´）は、前記患者（９）に近接するように設けられた一端と、前記患者（９）から離
れるように設けられて且つ前記一端よりも高い反対端とを有し、前記２つのスライドレー
ルアセンブリ（４２、４２´）の各前記スライドレール（４２１、４２１´）は互いに対
して傾斜していることを特徴とする請求項１に記載の牽引式寝返り補助器。
【請求項３】
前記患者（９）に着用されるように設けられたストラップアセンブリ（６）と、
前記スライドブロック（４２２、４２２´）と前記ストラップアセンブリ（６）とに連
結された少なくとも１つのロープ部材（７、７´）とを更に含むことを特徴とする請求項
１に記載の牽引式寝返り補助器。
【請求項４】
前記ストラップアセンブリ（６）は、前記患者（９）の上半身に固定するように設けら
れた上半身ストラップユニット（６１）と、前記患者（９）の下半身に固定するように設
けられた下半身ストラップユニット（６２）とを具え、
前記上半身ストラップユニット（６１）は少なくとも１つの肩牽引部(６１１)を具え、
前記下半身ストラップユニット（６２）は少なくとも１つの腰牽引部(６２１)を具え、前
記肩牽引部(６１１)と前記腰牽引部(６２１)とは、前記患者（９）における同じ側に配置
されるように設けられ、
前記ロープ部材（７、７´）は、前記肩牽引部(６１１)と前記腰牽引部(６２１)とに連
結されていることを特徴とする請求項３に記載の牽引式寝返り補助器。
【請求項５】
前記上半身ストラップユニット（６１）は、２つあってその内の１つが前記肩牽引部（
６１１）を有する肩ストラップ（６１２）と、前記肩牽引部（６１１）に配置されている
と共に前記ローブ部材（７、７´）に連結されている少なくとも１つの肩リング（６３）
と、前記肩ストラップ（６１２）の前端に連結されているフロントストラップ（６１３）
と、前記肩ストラップ（６１２）の後端に連結されているリアストラップ（６１４）とを
更に具え、
前記下半身ストラップユニット（６２）は、ウエストストラップ（６２２）と、２つの
大腿ストラップ（６２３）と、それぞれが前記ウエストストラップ（６２２）と対応の１
つの前記大腿ストラップ（６２３）との間に連結されている２つの中間ストラップ（６２
４）とを更に具え、１つの前記中間ストラップ（６２４）が前記腰牽引部（６２１）を有
し、
また、前記下半身ストラップユニット（６２）は、前記腰牽引部（６２１）に配置され
ていると共に前記ロープ部材（７、７´）と連結されている少なくとも１つの腰リング（
６４）を更に具えることを特徴とする請求項４に記載の牽引式寝返り補助器。
【請求項６】
前記スライドレールユニット（４、４´）は、前記患者（９）の肩と腰との間の位置に
対応して該位置の上方に位置するように設けられていることを特徴とする請求項１に記載
の牽引式寝返り補助器。
【請求項７】
前記スライドレールユニット（４´）を２つ含み、該２つの前記スライドレールユニッ
ト（４´）は、互いに離間していると共に、それぞれ前記患者（９）の肩及び腰に対応し
て前記患者（９）の肩及び腰の上方に位置するように設けられていることを特徴とする請
求項１に記載の牽引式寝返り補助器。
【請求項８】
前記駆動機構（５）は、少なくとも１つのケーブル巻回装置（５２）と、前記ケーブル
巻回装置（５２）に巻き上げられ又は繰り出され且つ前記スライドブロック（４２２、４
２２´）に連結されているケーブル（５２１）とを具えることを特徴とする請求項１に記
載の牽引式寝返り補助器。
【請求項９】
前記ケーブル巻回装置（５２）は複数あり、該複数の前記ケーブル巻回装置（５２）は
前記スライドレールアセンブリ（４２、４２´）の両側に配置されていることを特徴とす
る請求項８に記載の牽引式寝返り補助器。
【請求項１０】
前記スライドレールアセンブリ（４２）は、前記スライドレール（４２１）に配置され
ている滑車（４２３）を更に具え、
前記駆動機構（５）は少なくとも１つのモーター（５１）を更に具え、
前記ケーブル巻回装置（５２）は前記モーター（５１）に連結されていて、
前記ケーブル（５２１）は、前記滑車（４２３）を周回して前記スライドブロック（４
２２）に連結されていることを特徴とする請求項８に記載の牽引式寝返り補助器。
【請求項１１】
前記患者（９）の両側にそれぞれ位置するように設けられて前記スライドレールユニッ
ト（４）を支持するように設けられた２つの支持フレーム（３１）を具える支持アセンブ
リを更に含み、前記滑車（４２３）は前記スライドレール（４２１）の一端に設置されて
いることを特徴とする請求項１０に記載の牽引式寝返り補助器。
【請求項１２】
前記駆動機構（５）は、２つの前記モーター（５１）と、それぞれ前記モーター（５１
）と連結された２つの前記ケーブル巻回装置（５２）と、前記モーター（５１）の動作を
制御するように前記モーター（５１）に電気的に接続されているコントローラ（５０）と
を具えることを特徴とする請求項１１に記載の牽引式寝返り補助器。
【請求項１３】
前記支持アセンブリは、それぞれ前記支持フレーム（３１）の下端に配置されている２
つのスライド台座（３１１）と、前記スライド台座（３１１）の下端に配置されている複
数の位置調整用車輪（３１２）とを更に具え、
前記支持フレーム（３１）は、前記患者（９）の身長方向に沿って移動可能に設けられ
て、前記モーター（５１）が前記支持アセンブリに設置されていることを特徴とする請求
項１２に記載の牽引式寝返り補助器。
【請求項１４】
前記スライドレール（４２１´）は長尺棒（４２４）を具え、前記スライドブロック（
４２２´）は前記長尺棒（４２４）にスライド可能に挿通されていることを特徴とする請
求項１に記載の牽引式寝返り補助器。
【請求項１５】
前記スライドレール（４２１´）は、ねじ棒（４２５）と、前記ねじ棒（４２５）と螺
結されていると共に前記スライドブロック（４２２´）と連結されているねじスリーブ（
４２６）とを具え、
前記駆動機構（５）は、前記ねじ棒（４２５）を回転駆動するように前記ねじ棒（４２
５）と連結されている少なくとも１つのモーター（５１）を具え、前記ねじ棒（４２５）
は回転中に前記ねじスリーブ（４２６）を前記ねじ棒（４２５）の長さに沿って螺進退す
るように駆動することを特徴とする請求項１に記載の牽引式寝返り補助器。
【請求項１６】
前記スライドレール（４２１´）は、前記ねじ棒（４２５）と平行の長尺棒（４２４）
を更に具え、
前記スライドブロック（４２２´）は前記長尺棒（４２４）にスライド可能に挿通され
ていることを特徴とする請求項１５に記載の牽引式寝返り補助器。
【請求項１７】
前記患者（９）の両側にそれぞれ位置するように設けられて前記スライドレールユニッ
ト（４´）を支持するように設けられた２つの支持フレーム（３１´）を具える支持アセ
ンブリを更に含むことを特徴とする請求項１に記載の牽引式寝返り補助器。
【請求項１８】
前記支持アセンブリは、それぞれ前記患者（９）の身長方向と平行の方向に延伸すると
共に前記患者（９）の両側に配置されるように設けられている２つの支持レール（３２）
を更に具え、
前記支持フレーム（３１´）は、それぞれスライド可能に前記支持レール（３２）に連
結されていることを特徴とする請求項１７に記載の牽引式寝返り補助器。
【請求項１９】
前記支持アセンブリは、それぞれスライド可能に各前記支持レール（３２）に配置され
ている２つのスライド部材（３３）を更に具えることを特徴とする請求項１８に記載の牽
引式寝返り補助器。
【請求項２０】
各前記支持フレーム（３１´）が伸縮管として構成されていることを特徴とする請求項
１７に記載の牽引式寝返り補助器。
【請求項２１】
少なくとも１つのスライドレールユニット（４、４´）と駆動機構（５）とを含み、患
者（９）を転回するための牽引式寝返り装置であって、
前記患者（９）を支持するように設けられているベッドアセンブリ（２）と、
前記ベッドアセンブリ（２）に対して移動できる牽引式寝返り補助器とを更に含み、
前記牽引式寝返り補助器は、
前記患者（９）の上方に配置されるように設けられ且つ少なくとも１つのスライドレー
ルアセンブリ（４２、４２´）を有し、前記スライドレールアセンブリ（４２、４２´）
は、前記患者（９）を跨いで延伸するように設定された長さを有するスライドレール（４
２１、４２１´）と、前記スライドレール（４２１、４２１´）に沿ってスライド可能で
且つ前記患者（９）の一側に連結されるように設けられたスライドブロック（４２２、４
２２´）とを有する、少なくとも１つのスライドレールユニット（４、４´）と、
前記スライドレールアセンブリ（４２、４２´）に連結され且つ前記スライドブロック
（４２２、４２２´）を駆動して前記スライドレール（４２１、４２１´）に沿って前記
患者（９）の前記一側から他側に向かって移動させて前記患者（９）を前記他側に転回す
るように構成されている駆動機構（５）と、を具えることを特徴とする牽引式寝返り装置
。
【請求項２２】
前記ベッドアセンブリ（２）はベッドフレーム（２１）を具え、前記牽引式寝返り補助
器は支持アセンブリを更に具え、前記支持アセンブリは、前記スライドレールユニット（
４）を支持するようにそれぞれ前記ベッドフレーム（２１）の左右両側に配置された２つ
の支持フレーム（３１、３１´）を具えることを特徴とする請求項２１に記載の牽引式寝
返り装置。
【請求項２３】
前記支持アセンブリは、前記患者（９）の身長方向と平行する方向に延伸するように設
けられ且つ前記ベッドフレーム（２１）の左右両側にそれぞれ配置されている２つの支持
レール（３２）を更に具え、
各前記支持フレーム（３１´）はスライド可能に前記支持レール（３２）に連結されて
いることを特徴とする請求項２２に記載の牽引式寝返り装置。
【請求項２４】
前記支持アセンブリは、それぞれスライド可能に前記支持レール（３２）に配置されて
いる２つのスライド部材（３３）を更に具えることを特徴とする請求項２３に記載の牽引
式寝返り装置。
【請求項２５】
各前記支持フレーム（３１）が伸縮管として構成されていることを特徴とする請求項２
２に記載の牽引式寝返り装置。
【請求項２６】
前記支持アセンブリは、それぞれ前記支持フレーム（３１）の下端に配置されている２
つのスライド台座（３１１）と、前記スライド台座（３１１）の下端に配置されている複
数の位置調整用車輪（３１２）とを更に具え、
前記支持フレーム（３１）は、前記患者（９）の身長方向に沿って移動可能に設けられ
ており、
前記駆動装置（５）は、前記支持アセンブリに配置されている少なくとも１つのモータ
ー（５１）と、前記モーター（５１）の動作を制御するように前記モーター（５１）に電
気的に接続されているコントローラ（５０）とを具えることを特徴とする請求項２２に記
載の牽引式寝返り装置。
【請求項２７】
前記支持アセンブリは、前記ベッドフレーム（２１）と係合するようにそれぞれ移動可
能に各前記支持フレーム（３１）に配置されている２つの固定部材（３１０）を更に具え
ることを特徴とする請求項２２に記載の牽引式寝返り装置。
【請求項２８】
前記牽引式寝返り補助器は、前記スライドレールユニット（４´）を２つ具え、該２つ
の前記スライドレールユニット（４´）は、互いに離間していると共に、それぞれ前記患
者（９）の肩及び腰に対応して前記患者（９）の肩及び腰の上方に位置するように設けら
れていることを特徴とする請求項２１に記載の牽引式寝返り装置。
【発明の詳細な説明】
【技術分野】
【０００１】
本発明は、寝返り補助器に関し、より詳しくは牽引式寝返り補助器及びこれを具える牽
引式寝返り装置に関する。
【背景技術】
【０００２】
寝たきりの患者は長期間マットレスと接触しているので、身体部位とマットレスとの圧
迫によって循環器系が衰弱する。更に、寝たきりの患者は、マットレスにこもった湿気に
よって床ずれを起こすこともある。床ずれを防ぐために、医療従事者は患者に寝返りを打
たせたり、患者の背中をさすってあげる必要がある。しかしこの方法は多大な労働コスト
を要する。
【０００３】
この問題を解決するため、関連製品が市場に投入されている。一般に見かけるものとし
ては、米国特許第５７９４２８９号に示されているような空気注入式クッションがあり、
これは寝たきりの患者の身体とマットレスとの間に配置されることで、患者における圧迫
部位を変化させるものである。また他の方法としては、複数の床板を含むマットレスアセ
ンブリであって、それら床板が上下に移動できることで患者における圧迫部位を変化させ
るものがある。しかしながら、上記マットレスアセンブリは、寝たきりの患者の背中がマ
ットレスアセンブリから離れるように効果的に寝返りを打たせるものではない。従って、
医療従事者はやはり定期的に手作業で寝たきりの患者を転回して寝返りを打たせなくては
ならず、多大な労働コストを要するという問題が残されている。
【発明の概要】
【発明が解決しようとする課題】
【０００４】
そこで、本発明の目的は、労働コストを削減することができる牽引式寝返り補助器を提
供することにある。また、本発明のもう１つの目的は、労働コストを削減することができ
る牽引式寝返り装置を提供することにある。
【課題を解決するための手段】
【０００５】
本発明の１つの態様によれば、牽引式寝返り補助器は、患者９を転回するためのもので
あって、少なくとも１つのスライドレールユニットと駆動機構とを具える。
【０００６】
スライドレールユニットは、患者の上方に配置されるように設けられ、少なくとも１つ
のスライドレールアセンブリを有する。スライドレールアセンブリは、患者を跨いで延伸
するように設定された長さを有するスライドレールと、スライドレールに沿ってスライド
可能で且つ患者の一側に連結されるように設けられたスライドブロックとを具える。
【０００７】
駆動機構は、スライドレールアセンブリに連結され且つスライドブロックをスライドレ
ールに沿って患者の一側から他側に向かって移動させて患者を前記他側に転回するように
構成されている。
【０００８】
本発明のもう１つの態様によれば、牽引式寝返り装置は、ベッドアセンブリと、牽引式
寝返り補助器とを具える。
【０００９】
ベッドアセンブリは、患者を支持するように設けられている。
【００１０】
牽引式寝返り補助器は、ベッドアセンブリに対して移動でき、且つ、少なくとも１つの
スライドレールユニットと、駆動機構とを具える。
【００１１】
スライドレールユニットは、患者の上方に配置されるように設けられ、少なくとも１つ
のスライドレールアセンブリを有する。スライドレールアセンブリは、患者を跨いで延伸
するように設定された長さを有するスライドレールと、スライドレールに沿ってスライド
可能で且つ患者の一側に連結されるように設けられたスライドブロックとを具える。
【００１２】
駆動機構は、スライドレールアセンブリに連結され且つスライドブロックをスライドレ
ールに沿って患者の一側から他側に向かって移動させて患者を前記他側に転回するように
構成されている。
【００１３】
本発明の他の特徴および利点は、添付の図面を参照する以下の実施形態の詳細な説明に
おいて明白になるであろう。
【図面の簡単な説明】
【００１４】
【図１】本発明の第１の実施形態における牽引式寝返り装置が患者に用いられている状態を示す上面図である。
【図２】図１の正面図である。
【図３】第１の実施形態におけるストラップアセンブリの上半身ストラップユニット及び下半身ストラップユニットを示す概略図である。
【図４】図１に類似する図であって、第１の実施形態における牽引式寝返り補助器によって患者が転回されて側臥位になった状態を示す図である。
【図５】第１の実施形態における寝返り補助器が患者に対して後方に退くように移動した状態を示す上面図である。
【図６】本発明の第２の実施形態における牽引式寝返り装置を示す部分断面図である。
【図７】第２の実施形態を示す部分上面図である。
【図８】本発明の第３の実施形態における牽引式寝返り装置が患者に用いられている状態を示す上面図である。
【発明を実施するための形態】
【００１５】
本発明をより詳細に説明する前に、適切と考えられる場合において、符号又は符号の末
端部は、同様の特性を有し得る対応の又は類似の要素を示すために各図面間で繰り返し用
いられることに留意されたい。
【００１６】
図１及び図２を参照されたい。本発明の第１の実施形態における牽引式寝返り装置は、
ベッドアセンブリ２と牽引式寝返り補助器とを具える。牽引式寝返り補助器は、支持アセ
ンブリと、スライドレールユニット４と、駆動機構５と、ストラップアセンブリ６と、２
つのロープ部材７とを具える。
【００１７】
ベッドアセンブリ２は、長方形のベッドフレーム２１と、患者９が横になれるようにベ
ッドフレーム２１に置かれているマットレス２２とを具える。本実施形態において、ベッ
ドフレーム２１は医療用ベッドのベッドフレームであるが、これに限定されない。支持ア
センブリとスライドレールユニット４が組み込めるものでさえあれば、いかなる種類のベ
ッドも用いることができる。ベッドフレーム２１は左右両側を有し、両側それぞれに複数
の互いに離間した係合溝２１１が形成されている（図２ではその内の１つのみが示されて
いる）。
【００１８】
支持アセンブリは、ベッドフレーム２１の左右両側にそれぞれ配置されている２つの支
持フレーム３１と、それぞれ支持フレーム３１を通ってベッドフレーム２１における選択
された１つの係合溝２１１と係合するように延伸可能な２つの固定部材３１０と、それぞ
れ支持フレーム３１の下端に配置された２つのスライド台座３１１と、スライド台座３１
１の下端に配置された複数の位置調整用車輪３１２とを具える。支持フレーム３１は、患
者９の身長方向（身長方向とは患者９の頭から足または足から頭への方向を指す）に沿っ
てスライドできるように構成されている。支持フレーム３１が患者９に対する所望の位置
に移動されると、位置調整用車輪３１２が停止されると共に、固定部材３１０が支持フレ
ーム３１を貫通してベッドフレーム２１における選択された１つの係合溝２１１と係合す
ることにより支持フレーム３１をベッドフレーム２１に固定する。
【００１９】
スライドレールユニット４は、支持フレーム３１に支持されていると共に、患者９の肩
と腰との間の位置に対応して該位置の上方に位置するように設けられている。スライドレ
ールユニット４は、ケーシング４１と、ケーシング４１内に２つが互いに離間するように
設けられたスライドレールアセンブリ４２とを具える。
【００２０】
各スライドレールアセンブリ４２は、スライドレール４２１と、スライドブロック４２
２と、滑車４２３とを具える。スライドレール４２１は、患者９を跨いで延伸するように
設定された長さを有し、また、ケーシング４１の一側を貫いて延伸して対応の支持フレー
ム３１に連結されると共に患者９に近接するように設けられている一端と、ケーシング４
１の他側を貫いて延伸して患者９から離れるように且つ該一端よりも高く設けられている
反対端とを有する。スライドブロック４２２は、スライドレール４２１に設けられると共
にスライドレール４２１の長さに沿ってスライドできる。滑車４２３は、スライドレール
４２１の患者９から離れた端である上記反対端に設置されている。なお、各スライドレー
ルアセンブリ４２のスライドレール４２１は、互いに対して傾斜している。
【００２１】
本実施形態において駆動機構５は、それぞれ各スライド台座３１１に配置された２つの
モーター５１と、それぞれ各モーター５１に配置且つ連結された２つのケーブル巻回装置
５２と、対応の１つのケーブル巻回装置５２に巻き上げられ又は繰り出される２つのケー
ブル５２１とを具える。各ケーブル５２１は、対応の１つのスライドレールアセンブリ４
２の滑車４２３を周回して対応のスライドアセンブリ４２のスライドブロック４２２に連
結されている一端を有する。各モーター５１を駆動することにより、各ケーブル巻回装置
５２が対応の１つのモーター５１により対応の１つのケーブル５２１を巻き上げるように
駆動されると、対応のスライドレールアセンブリ４２のスライドブロック４２２が、患者
９及びスライドレール４２１の上記一端から近い低位置からスライドレール４２１の上記
反対端から近く且つ患者９から離れた高位置に引き上げられる。一方、各ケーブル巻回装
置５２が対応のモーター５１により対応のケーブル５２１を繰り出すように駆動されると
、スライドブロック４２２が、自重によって高位置から低位置にスライドし、各ケーブル
５２１が対応のケーブル巻回装置５２から繰り出される。
【００２２】
図３及び図１に示されているように、ストラップアセンブリ６は、患者９に着用される
ように設けられると共に、患者９の上半身に固定するように構成された上半身ストラップ
ユニット６１と、患者９の下半身に固定するように構成された下半身ストラップユニット
６２とを具える。上半身ストラップユニット６１及び下半身ストラップユニット６２はそ
れぞれ、ボタンとボタン孔による固定具、バックルとリングによる固定具、フックとルー
プによる固定具６５、磁石による固定具といった固定構造が設けられていてもよく、これ
により患者９に任意に着脱されることができる。
【００２３】
本実施形態において、上半身ストラップユニット６１は、患者９の両肩にそれぞれ配置
されるように設けられた２つの互いに離間した肩ストラップ６１２と、それぞれ各肩スト
ラップ６１２に配置された２つの肩牽引部６１１と、それぞれ各肩牽引部６１１に配置さ
れた２つの肩リング６３と、肩ストラップ６１２の前端に連結されていると共にフックと
ループによる固定具６５、６６が両端に縫い付けられているフロントストラップ６１３と
、肩ストラップ６１２の後端に連結されていると共にフックとループによる固定具６５、
６６が両端に縫い付けられているリアストラップ６１４とを具える。
【００２４】
上半身ストラップユニット６１が患者９の上半身に着用されると、フロントストラップ
６１３側のフックとループによる固定具６５、６６がそれぞれリアストラップ６１４側の
フックとループによる固定具６５、６６と係合して上半身ストラップユニット６１が患者
９の上半身に固定される。
【００２５】
下半身ストラップユニット６２は、両端にフックとループによる固定具６５、６６が縫
い付けられているウエストストラップ６２２と、それぞれ両端にフックとループによる固
定具６５、６６が縫い付けられている２つの大腿ストラップ６２３と、それぞれがウエス
トストラップ６２２と対応の１つの大腿ストラップ６２３との間に連結されている２つの
中間ストラップ６２４と、それぞれ中間ストラップ６２４に配置された２つの腰牽引部６
２１と、それぞれ腰牽引部６２１に配置されている２つの腰リング６４とを具える。各腰
牽引部６２１は、患者９の左右両側における対応の一側においてウエスト部と臀部との間
に位置されている。ウエストストラップ６２２のフックとループによる固定具６５、６６
は、患者９のウエスト部に固定されるように互いに係合し、一方、大腿ストラップ６２３
のフックとループによる固定具６５、６６は、患者９の大腿部に固定されるように互いに
係合する。これにより、下半身ストラップユニット６２が患者９の下半身に固定されるこ
とができる。
【００２６】
なお、上半身ストラップユニット６１及び下半身ストラップユニット６２は、任意の材
料で構成することができ、または省略することも可能である。この場合、肩リング６３と
腰リング６４は患者９の衣服における対応の箇所に直接縫い付けることができる。材料の
強度が患者９を支持するに足りるものであれば、いかなる材料も用い得る。肩リング６３
と腰リング６４は、従来のリングでよく、ロープ部材７との連結を容易にすることを目的
とする。従って、肩リング６３と腰リング６４はその材料、形状及び構造に制限はない。
【００２７】
再び図１及び図２を参照されたい。各ロープ部材７は、対応の１つの肩リング６３に連
結された肩連結端７１と、肩連結端７１の反対にあって、対応のスライドレールアセンブ
リ４２のスライドブロック４２２に通されてから対応の１つの腰リング６４に連結された
腰連結端７２とを有する。具体的には、２つのロープ部材７の内の一方が患者９の左側に
ある肩リング６３及び腰リング６４に連結され、他方が患者９の右側にある肩リング６３
及び腰リング６４に連結される。本実施形態において、各ロープ部材７はナイロンででき
ている。これは、ナイロンであれば、強度が患者９を引き上げるのに十分である上に、表
面が滑らかなので患者９に擦り傷を負わせることを防ぐことができるからである。しかし
、ロープ部材７の材料はこれに制限されず、十分な強度を確保できるものであればいかな
る材料を用いてもよい。
【００２８】
図４及び図１並びに図２に示されているように、スライドブロック４２２を移動させて
ロープ部材７を牽引することにより、患者９が横に向きを変えるように動かされる。ベッ
ドフレーム２１の右側に配置されたケーブル巻回装置５２が、対応のモーター５１に駆動
されて対応のケーブル５２１を巻き上げることにより、スライドブロック４２２を図２に
示されているように左側から図４に示されているように右側に移動させると、図２に示さ
れている左側のロープ部材７が患者９を牽引して右側に転回するように動かす。スライド
ブロック４２２が引き続いて右側に向かって移動されると、患者９は側臥位になるまで引
き続き引っ張られて、そして停止すると、図４に示された状態となる。ここで注意された
いのは、側臥位になるよう転回される時には、患者９は左側のロープ部材７によって牽引
されて位置決めされるが、そのまま更に牽引されて側臥位からうつぶせになるよう転回さ
れることはない。これにより、患者９が過度に身を返されてしまい鼻と口がマットレス２
２によって塞がれて窒息することが防がれる。患者９を元の仰向けまたは横になった姿勢
に戻す時には、モーター５１が逆に回転して右側のケーブル巻回装置５２を緩めると、ス
ライドブロック４２２が自重により元の位置に戻るように移動する。同様に、ベッドフレ
ーム２１の左側に配置されたケーブル巻回装置５２が、対応のモーター５１に駆動されて
対応のケーブル５２１を巻き上げることにより、スライドブロック４２２を図２に示され
ているように右側から図４に示されているように左側に移動させると、図２に示されてい
る右側のロープ部材７が患者９を牽引して左側に転回するように動かす。続いて、上述と
同様のステップにより、患者９が仰向けから他の側臥位に位置決めされ、また、元の仰向
けまたは横になった姿勢に戻される。
【００２９】
図５を図２と合わせて参照されたい。スライドレールユニット４は、支持フレーム３１
のスライド移動によりベッドフレーム２１の後端に向かって移動できる。スライドレール
ユニット４が移動される前に、スライドレールユニット４の移動中に患者９が牽引されな
いようにまずロープ部材７（図１参照）がストラップアセンブリ６から取り外される。そ
の後、固定部材３１０がベッドフレーム２１の対応の係合溝２１１から外されることによ
り支持フレーム３１がベッドフレーム２１から取り外され、また、位置調整用車輪３１２
のロックが解除されて地面を自由に回転できるようになり、そして図５に示されているよ
うに支持フレーム３１がスライドレールユニット４と共にベッドフレーム２１の後端に向
かって移動するように引っ張られ患者９から離れる。これにより、障害物のないスペース
が患者９の上方にできるので、医師や医療従事者が患者９に対して検査、手当て、治療を
より円滑に行えるようになる。
【００３０】
本実施形態において、駆動機構５は、モーター５１に電気的に連結されているコントロ
ーラ５０を更に具える。コントローラ５０は、各スライドレールアセンブリ４２のスライ
ドブロック４２２の対応のスライドレール４２１に対するスライド移動を駆動するように
各モーターの稼動を制御するよう設定される。これにより、各種体型の患者９の寝返りが
効率的に行われるようになる。更に、患者９を転回する時間をコントローラ５０によって
設定することができるので、医療従事者が手作業で患者９を転回する必要がなくなる。よ
って、労働コストが削減できる。
【００３１】
上述の説明から、本発明の利点は以下のようにまとめることができる。
１．スライドレールアセンブリ４２のスライドブロック４２２が、対応のケーブル５２１
を通してスライドレール４２１の長さに沿って移動するように駆動されることができる上
に、対応のローブ部材７を通して患者９に連結することができる。よって、各スライドレ
ールアセンブリ４２のスライドブロック４２２が駆動機構５に駆動されて患者９の一側か
ら他側にスライド移動されると、患者９を転回することが可能となるので、医療従事者が
自ら手作業で患者９を転回する必要が無くなり、労働コストの削減が可能となる。
２．対応のロープ部材７の長さを制限することによって、患者９が側臥位に返された後に
更に動かされて側臥位からうつぶせにされてしまうことがないので、患者９の鼻と口がマ
ットレス２２に塞がれて窒息することを防げる。
３．スライドレールユニット４が支持フレーム３１のスライド移動によって患者９から離
れるように移動することにより、患者９の上方に障害物のないスペースができるので、医
師や医療従事者が患者９に対して検査、手当て、治療をより円滑に行えるようになる。
４．コントローラ５０によって患者９を側臥位や仰向けになるように転回する時間を設定
することにより、医療従事者が自ら手作業で患者９を転回する必要がなくなる。よって、
労働コストが削減できる。
５．本発明によって患者９を側臥位にすれば、医療従事者は患者９の背中を拭いたり着衣
やおむつの交換をしたり等、体を洗うことが容易になる。
【００３２】
図６及び図７は本発明の第２の実施形態における牽引式寝返り装置を示している。本実
施形態は、第１の実施形態に類似するが、支持アセンブリが２つの支持レール３２と２つ
のスライド部材３３を更に具える。支持レール３２はそれぞれベッドフレーム２１の左右
両側に形成されていると共にベッドフレーム２１の長さ方向に沿って又は患者９の身長方
向と平行の方向に延伸している。支持レール３２は患者９の両側にそれぞれ配置されるよ
うに設けられている。各スライド部材３３はスライド可能に各支持レール３２に配置され
ている。支持フレーム３１の下端に配置される支持アセンブリのスライド台座３１１（図
１参照）及び位置調整用車輪３１２（図２参照）は、ここでは省かれている。
【００３３】
本実施形態において、各支持フレーム３１´は伸縮管として構成され、外管３１３１と
、伸縮可能に外管３１３１と接続されている内管３１３２と、２つの第１の固定具３１４
と、２つの第２の固定具３１５とを具える。各第１の固定具３１４は、外管３１３１の下
端を貫通した上で対応のスライド部材３３と係合することによって、各伸縮管の外管３１
３１の下端を対応の１つのスライド部材３３に対して固定する。これにより、各支持フレ
ーム３１´が、対応の１つの支持レール３２において対応のスライド部材３３と共にスラ
イド移動できるようになる。各第２の固定具３１５は、内管３１３２の外管３１３１に対
する長さを調整するのに用いられる。
【００３４】
スライドレールユニット４´は、仕切り板４３と、２組の保持部材４３１とを更に具え
る。仕切り板４３は、ケーシング４１´を２つのケーシングセクション４１１、４１２に
区切るようにケーシング４１´の天井面から下方に延伸しており、両端がそれぞれ各伸縮
管（支持フレーム３１´）の内管３１３２の上端に挿入されている。ケーシング４１´の
天井面から下方に向かってそれぞれケーシングセクション４１１、４１２の対応の一方に
進入するように延伸した各組の保持部材４３１は、組同士で間隔をおくように設けられて
いると共に、仕切り板４３の対応の一側に連結されている。本実施形態において、各スラ
イドレールアセンブリ４２´の各スライドレール４２１´は、ケーシングセクション４１
１、４１２にそれぞれ配置され、且つ、それぞれ各組の保持部材４３１に保持されている
と共に、互いに傾斜している。
【００３５】
本実施形態における各スライドレール４２１´は、長尺棒４２４と、ねじ棒４２５と、
ねじスリーブ４２６とを具える。長尺棒４２４は、図６に示されているように、１組の保
持部材４３１の内の一方の上端部に固定されている上端と、該１組の保持部材４３１の内
の他方の下端部に固定されている下端とを有する。ねじ棒４２５は、長尺棒４２４と平行
であって、該１組の保持部材４３１の内の上記一方の上端部を貫通した上端と、該１組の
保持部材４３１の内の上記他方の下端部を貫通した下端とを有する。ねじスリーブ４２６
は、ねじ棒４２５と螺結されている。本実施形態において、スライドブロック４２２は長
尺棒４２４にスライド可能に挿通されていると共に、ねじスリーブ４２６に連結されてい
る。なお、本実施形態においてねじスリーブ４２６とスライドブロック４２２´は一体に
形成されているが、これに限定されない。
【００３６】
駆動機構５は、それぞれ対応の１つのモーター５１を対応のスライドレールアセンブリ
４２´のねじ棒４２５の上端に連結する２つの軸連結具５３を更に具える。各モーター５
１が稼動すると、対応のスライドレールアセンブリ４２´のねじ棒４２５を時計回り又は
反時計回りに回転するよう駆動する。一方、ねじ棒４２５は、対応の１つのモーター５１
に回転されている間、ねじスリーブ４２６をスライドブロック４２２と共にねじ棒４２５
の長さに沿って螺進退するように駆動する。
【００３７】
図８は、本発明の第３の実施形態における牽引式寝返り装置を示している。本実施形態
における牽引式寝返り装置は、支持アセンブリと、２つのスライドレールユニット４´と
、２つの駆動機構５と、４つのロープ部材７´とを具える。本実施形態における各構成部
材の動作は第２の実施形態に示されたものと同様である。
【００３８】
本実施形態における支持アセンブリは、それぞれベッドフレーム２１の左右両側に形成
されている２つの支持レール３２と、各支持レール３２に１組ずつスライド可能に配置さ
れている２組のスライド部材３３と、ベッドフレームの左右両側に１組ずつ配置されてい
る２組の支持フレーム３１´とを具える。各組の支持フレーム３１´は、対応の１組のス
ライド部材３３に連結されていて、該対応の１組のスライド部材３３と共に支持レール３
２をスライド可能になっている。各支持フレーム３１´の構成は第２の実施形態で示した
ものと同様である。
【００３９】
スライドレールユニット４´のケーシング４１´は、それぞれ患者９の肩及び腰に対応
してそれらの上方に位置するように設けられている。対応の１つのスライドレールユニッ
ト４´のケーシング４１´から延伸する仕切り板４３（図６参照）は両端がそれぞれ２組
の支持フレーム３１´の内の１組に連結されている。これにより、各スライドレールユニ
ット４´が対応の１組の支持フレーム３１´と共に移動できるようになる。なお、本実施
形態における各スライドレールユニット４´の構成及び配置は第２の実施形態で示された
スライドレールユニット４´と概ね同一である。
【００４０】
本実施形態において各駆動機構５は、対応の１つのスライドレールユニット４´のケー
シング４１´に配置されている２つのモーター５１と、それぞれ一方のモーター５１をね
じ棒４２５に連結する２つの軸連結具５３とを具える。
【００４１】
２つのロープ部材７´は、患者９の肩に位置対応するケーシング４１´に配置されてい
て、それぞれスライドブロック４２２´（図６参照）とストラップアセンブリ６の対応の
１つの肩リング６３との間に連結されている。また、他の２つのロープ部材７´は、患者
９の腰に位置対応するケーシング４１´に配置されていて、それぞれスライドブロック４
２２´（図６参照）とストラップアセンブリ６の対応の１つの腰リング６４との間に連結
されている。患者９の同じ側に配置されている各駆動機構５のモーター５１を操作するこ
とにより、当該モーター５１と同じ側に位置するねじスリーブ４２６がスライドレールユ
ニット４´のスライドブロック４２２´と共にねじ棒４２５の長さに沿って螺進退するよ
うに駆動され、対応の肩リング６３に連結された１つのロープ部材７´と腰リング６４に
連結された対応のロープ部材７´とが同時に患者９を牽引して患者９を仰向けから側臥位
に転回するように動かす。
【００４２】
更に、各スライドレールユニット４´は、対応の１組の支持フレーム３１´と共に移動
することができるので、患者９から離れるようにそれぞれベッドフレーム２１の前端及び
後端に向かって移動することができる。これにより、医師や医療従事者は患者９に対する
検査、手当て、治療を便利に行うことができるようになる。また、第３の実施形態のおけ
る牽引式寝返り装置は、第２の実施形態と同じ利点が得られる上に、患者９をスムーズに
転回することができるだけでなく、負荷が２つのスライドレールユニット４´に分散され
るので、支持アセンブリが過負荷により損壊することが防がれる。
【００４３】
上記総括すると、本発明におけるスライドブロック４２２を通して患者９を牽引して転
回することができるので、医療従業者は自ら手作業で患者９を転回する必要が無く、労働
コストを削減することができる。よって、本発明の目的が達成できる。
【００４４】
上記においては、本発明の全体的な理解を促すべく、多くの具体的な詳細が示された。
しかしながら、当業者であれば、一またはそれ以上の他の実施形態が具体的な詳細を示さ
なくとも実施され得ることが明らかである。また、本明細書における「一つの実施形態」
「一実施形態」を示す説明において、序数などの表示を伴う説明は全て、特定の態様、構
造、特徴を有する本発明の具体的な実施に含まれ得るものであることと理解されたい。更
に、本説明において、時には複数の変化例が一つの実施形態、態様に組み込まれているが
、これは本説明を合理化させるためのもので、また、本発明の多面性が理解されることを
目的としたものである。
【図１】
2018086298.tif 000003
【図２】
2018086298.tif 000004
【図３】
2018086298.tif 000005
【図４】
2018086298.tif 000006
【図５】
2018086298.tif 000007
【図６】
2018086298.tif 000008
【図７】
2018086298.tif 000009
【図８】
2018086298.tif 000010
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
少なくとも１つのスライドレールユニット（４、４´）と駆動機構（５）とを含み、患者（９）を転回するための牽引式寝返り補助器であって、
少なくとも１つのスライドレールユニット（４、４´）は、前記患者（９）の上方に配置されるように設けられ、少なくとも１つのスライドレールアセンブリ（４２、４２´）を有し、
前記スライドレールアセンブリ（４２、４２´）は、前記患者（９）を跨いで延伸するように設定された長さを有するスライドレール（４２１、４２１´）と、前記スライドレール（４２１、４２１´）に沿ってスライド可能で且つ前記患者（９）の一側に連結されるように設けられたスライドブロック（４２２、４２２´）とを具え、
駆動機構（５）は、前記スライドレールアセンブリ（４２、４２´）に連結され且つ前記スライドブロック（４２２、４２２´）を駆動して前記スライドレール（４２１、４２１´）に沿って前記患者（９）の前記一側から他側に向かって移動させて前記患者（９）を前記他側に転回するように構成されており、
該牽引式寝返り補助器は、
前記患者（９）に着用されるように設けられたストラップアセンブリ（６）と、
前記スライドブロック（４２２、４２２´）と前記ストラップアセンブリ（６）とに連結された少なくとも１つのロープ部材（７、７´）とを更に含むことを特徴とする、牽引式寝返り補助器。
【請求項２】
前記ストラップアセンブリ（６）は、前記患者（９）の上半身に固定するように設けられた上半身ストラップユニット（６１）と、前記患者（９）の下半身に固定するように設けられた下半身ストラップユニット（６２）とを具え、
前記上半身ストラップユニット（６１）は少なくとも１つの肩牽引部(６１１)を具え、前記下半身ストラップユニット（６２）は少なくとも１つの腰牽引部(６２１)を具え、前記肩牽引部(６１１)と前記腰牽引部(６２１)とは、前記患者（９）における同じ側に配置されるように設けられ、
前記ロープ部材（７、７´）は、前記肩牽引部(６１１)と前記腰牽引部(６２１)とに連結されていることを特徴とする請求項１に記載の牽引式寝返り補助器。
【請求項３】
前記上半身ストラップユニット（６１）は、２つあってその内の１つが前記肩牽引部（６１１）を有する肩ストラップ（６１２）と、前記肩牽引部（６１１）に配置されていると共に前記ローブ部材（７、７´）に連結されている少なくとも１つの肩リング（６３）と、前記肩ストラップ（６１２）の前端に連結されているフロントストラップ（６１３）と、前記肩ストラップ（６１２）の後端に連結されているリアストラップ（６１４）とを更に具え、
前記下半身ストラップユニット（６２）は、ウエストストラップ（６２２）と、２つの大腿ストラップ（６２３）と、それぞれが前記ウエストストラップ（６２２）と対応の１つの前記大腿ストラップ（６２３）との間に連結されている２つの中間ストラップ（６２４）とを更に具え、１つの前記中間ストラップ（６２４）が前記腰牽引部（６２１）を有し、
また、前記下半身ストラップユニット（６２）は、前記腰牽引部（６２１）に配置されていると共に前記ロープ部材（７、７´）と連結されている少なくとも１つの腰リング（６４）を更に具えることを特徴とする請求項２に記載の牽引式寝返り補助器。